【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
カルボン酸リチウムグリースを作製する方法であって、
過塩基性スルホン酸カルシウム又は過塩基性スルホン酸マグネシウム又はその両方を、基油、水酸化リチウム及び水と共に、添加及び混合するステップを含み、
前記カルボン酸リチウムグリースが、単体グリース又は錯体グリースである、方法。
【請求項２】
カルボン酸リチウムグリースは錯体グリースであって、１又は２種以上のモノカルボン酸と１又は２種以上のジカルボン酸とを、添加及び混合するステップをさらに含む、請求項１の方法。
【請求項３】
モノカルボン酸とジカルボン酸は、モノカルボン酸のジカルボン酸に対するｗｔ／ｗｔ比が３．７以上の比で添加される、請求項２の方法。
【請求項４】
モノカルボン酸とジカルボン酸は、モノカルボン酸のジカルボン酸に対するｗｔ／ｗｔ比が５以上の比で添加される、請求項２の方法。
【請求項５】
前記酸が１２−ヒドロキシステアリン酸及びアゼライン酸であり、添加されるアゼライン酸の量は、添加される１２−ヒドロキシステアリン酸の量よりも少ない、請求項２の方法。
【請求項６】
水酸化リチウムは、モノカルボン酸及びジカルボン酸との反応に必要な化学量論量よりも少ない量で添加される、請求項２の方法。
【請求項７】
グリースは５４０°Ｆよりも高い滴点を有する、請求項２の方法。
【請求項８】
グリースは６００°Ｆよりも高い滴点を有する、請求項２の方法。
【請求項９】
カルシウム含有塩基を添加及び混合するステップをさらに含む、請求項２の方法。
【請求項１０】
カルシウム含有塩基は、カルシウムヒドロキシアパタイト、添加された炭酸カルシウム、添加された水酸化カルシウム又は添加された酸化カルシウムの１又は２種以上である、請求項９の方法。
【請求項１１】
モノカルボン酸とジカルボン酸は、実質的に同時に添加される、請求項２の方法。
【請求項１２】
モノカルボン酸はジカルボン酸の前に添加され、前記モノカルボン酸を含む混合物は、ジカルボン酸を添加する前に、加熱及び冷却は行われない、請求項２の方法。
【請求項１３】
モノカルボン酸が添加され、次いで、ジカルボン酸が次なる成分として添加される、請求項２の方法。
【請求項１４】
前記成分を、一度だけ、最高処理温度に加熱することをさらに含む、請求項２の方法。
【請求項１５】
最高処理温度は、約３９０°Ｆ〜４３０°Ｆである、請求項１４の方法。
【請求項１６】
過塩基性スルホン酸カルシウム、過塩基性スルホン酸マグネシウム又はその両方は、基油と混合されて第１の混合物を生成し、
水酸化リチウムと水が、前記第１の混合物に添加されて、第２の混合物を生成する、請求項２の方法。
【請求項１７】
モノカルボン酸とジカルボン酸が第２の混合物に添加され、第３の混合物を生成する、請求項１６の方法。
【請求項１８】
水酸化リチウムを添加する前に、前記第１の混合物を約１６０°Ｆ〜２００°Ｆに加熱することをさらに含む、請求項１７の方法。
【請求項１９】
前記第３の混合物を約１９０°Ｆ〜２００°Ｆに加熱し、前記酸と水酸化リチウムとの反応が終了して第４の混合物が生成されるまで、前記第３の混合物を前記温度範囲に保持することをさらに含む、請求項１８の方法。
【請求項２０】
前記第４の混合物を約３９０°Ｆ〜４３０°Ｆに加熱し、次いで、前記第４の混合物を冷却することをさらに含む、請求項１９の方法。
【請求項２１】
エステルは添加されない、請求項２の方法。
【請求項２２】
アルコール副産物は生成されない、請求項２の方法。
【請求項２３】
加熱冷却サイクルは１回である、請求項２の方法。
【請求項２４】
前記成分は、開放型容器の中で混合される、請求項２の方法。
【請求項２５】
カルボン酸リチウムグリース組成物であって、
過塩基性スルホン酸マグネシウム、過塩基性スルホン酸カルシウム、又はその両方と、
水酸化リチウムと、
基油と、を成分として含み、
前記カルボン酸リチウムグリースが、単体グリース又は錯体グリースである、組成物。
【請求項２６】
グリースは錯体グリースであって、１又は２種以上のモノカルボン酸と、１又は２種以上のジカルボン酸とをさらに含む、請求項２５の組成物。
【請求項２７】
モノカルボン酸とジカルボン酸は、ｗｔ／ｗｔ比が３．７以上である、請求項２６の組成物。
【請求項２８】
モノカルボン酸とジカルボン酸は、ｗｔ／ｗｔ比が５以上である、請求項２６の組成物。
【請求項２９】
前記酸が、１２−ヒドロキシステアリン酸とアゼライン酸であって、前記組成物が、１２−ヒドロキシステアリン酸を、アゼライン酸よりも多い重量で含む、請求項２６の組成物。
【請求項３０】
組成物は、水酸化リチウムを、モノカルボン酸及びジカルボン酸との反応に必要な化学量論量よりも少ない量で含む、請求項２６の組成物。
【請求項３１】
グリースは５００°Ｆよりも高い滴点を有する、請求項２６の組成物。
【請求項３２】
グリースは６００°Ｆよりも高い滴点を有する、請求項２６の組成物。
【請求項３３】
カルシウムヒドロキシアパタイト、添加された炭酸カルシウム、添加された水酸化カルシウム又は添加された酸化カルシウムの１又は２種以上をさらに含む、請求項２６の組成物。
【請求項３４】
前記組成物は、約１〜５％の水酸化リチウムと、４．３〜２１．２％の１２−ヒドロキシステアリン酸と、０．８〜３．６％のアゼライン酸とを含み、前記％は、水の重量を除く全ての未反応成分の重量率である、請求項２９の組成物。
【請求項３５】
前記組成物は、過塩基性スルホン酸カルシウム、過塩基性スルホン酸マグネシウム又はその両方を合計で約０．０１〜１０％含み、前記％は、水の重量を除く全ての未反応成分の重量率である、請求項３４の組成物。
【請求項３６】
１２−ヒドロキシステアリン酸を、過塩基性スルホン酸カルシウムに対する１２−ヒドロキシステアリン酸のｗｔ／ｗｔ比で、１：１又はそれより大きい比でさらに含む、請求項２５の組成物。
【請求項３７】
カルシウムヒドロキシアパタイト、添加された炭酸カルシウム、添加された水酸化カルシウム又は添加された酸化カルシウムの１又は２種以上をさらに含む、請求項３０の組成物。
【請求項３８】
過塩基性スルホン酸カルシウム、過塩基性スルホン酸マグネシウム又はその両方を合計で約０．０１〜１０％が添加され、前記％は、水の重量を除く全ての未反応成分の重量率である、請求項１の方法。
【請求項３９】
過塩基性スルホン酸カルシウム及び水酸化リチウムを添加した後、１２−ヒドロキシステアリン酸を添加することをさらに含み、前記１２−ヒドロキシステアリン酸は、過塩基性スルホン酸カルシウムに対する１２−ヒドロキシステアリン酸のｗｔ／ｗｔ比で、１：１又はそれより大きい比で添加される、請求項１の方法。
【請求項４０】
水酸化リチウムは、モノカルボン酸及びジカルボン酸を添加する前に、バッチ式で添加される、請求項２の方法。
【請求項４１】
水酸化リチウムは、固体水酸化リチウムの一水和物である、請求項２の方法。
【請求項４２】
水酸化リチウムは、固体水酸化リチウムの一水和物である、請求項４０の方法。
【請求項４３】
添加される水酸化リチウムの量は、モノカルボン酸及びジカルボン酸を中和させるのに化学量論的に不十分である、請求項１０の方法。
【請求項４４】
モノカルボン酸とジカルボン酸は、  ジカルボン酸に対するモノカルボン酸のｗｔ／ｗｔ比が５以上で添加される、請求項２３の方法。
【請求項４５】
過塩基性スルホン酸カルシウム、過塩基性スルホン酸マグネシウム又はその両方を合計で約０．０１〜５％が添加され、前記％は、水の重量を除く全ての未反応成分の重量率である、請求項１の方法。
【請求項４６】
過塩基性スルホン酸カルシウム、過塩基性スルホン酸マグネシウム又はその両方を合計で約０．０１〜５％が添加され、前記％は、水の重量を除く全ての未反応成分の重量率である、請求項２５の方法。